(57)【特許請求の範囲】
【請求項１】
紙媒体に埋め込む情報に応じたパターン画像を生成するパターン生成部と、
前記パターン生成部によって生成されたパターン画像を用いて、有色トナーが塗布された紙媒体に透明トナーを塗布するための透明版データを生成する透明版データ生成部と、
を備え、
前記透明版データ生成部は、前記有色トナーが塗布されたドットよりも小さい面積のドットで、該有色トナーが塗布されたドット上の一部に前記透明トナーを塗布するような前記透明版データを生成し、
前記透明版データ生成部は、さらに、前記透明トナーと前記有色トナーとのドット塗布位置の位相を変えて、前記有色トナーが塗布される間隔よりも前記透明トナーが塗布される間隔を大きくなるような前記透明版データを生成することを特徴とする画像形成装置。
【請求項２】
透明トナーを紙媒体に塗布することで紙媒体に形成されたパターン画像を読み取る画像読取装置であって、
前記紙媒体上の画像データを読み取り、該画像データの画素値を取得する画素値取得部と、
前記画素値取得部によって取得された画素値を用いて、隣接する画素同士の輝度値の差分を算出し、該輝度値の差分が所定の閾値以上である場合には、隣接する画素のうち前記輝度値が低い画素を前記透明トナーが塗布された部分として検出する検出部と、
を備え、
前記画素値取得部は、前記透明トナーが塗布される間隔に応じて解像度を変更し、該解像度で前記紙媒体上の画像データを読み取ることを特徴とする画像読取装置。
【請求項３】
画像形成装置と、画像読取装置と備える画像処理システムであって、
前記画像形成装置は、
紙媒体に埋め込む情報に応じたパターン画像を生成するパターン生成部と、
前記パターン生成部によって生成されたパターン画像を用いて、有色トナーが塗布された紙媒体に透明トナーを塗布するための透明版データを生成する透明版データ生成部と、
を備え、
前記透明版データ生成部は、前記有色トナーが塗布されたドットよりも小さい面積のドットで、該有色トナーが塗布されたドット上の一部に前記透明トナーを塗布するような前記透明版データを生成し、
前記透明版データ生成部は、さらに、前記透明トナーと前記有色トナーとのドット塗布位置の位相を変えて、前記有色トナーが塗布される間隔よりも前記透明トナーが塗布される間隔を大きくなるような前記透明版データを生成し、
前記画像読取装置は、
前記紙媒体上の画像データを読み取り、該画像データの画素値を取得する画素値取得部と、
前記画素値取得部によって取得された画素値を用いて、隣接する画素同士の輝度値の差分を算出し、該輝度値の差分が所定の閾値以上である場合には、隣接する画素のうち前記輝度値が低い画素を前記透明トナーが塗布された部分として検出する検出部と、を備える
ことを特徴とする画像処理システム。
【請求項４】
画像形成装置と、画像読取装置と備える画像処理システムであって、
前記画像形成装置は、
紙媒体に埋め込む情報に応じたパターン画像を生成するパターン生成部と、
前記パターン生成部によって生成されたパターン画像を用いて、有色トナーが塗布された紙媒体に透明トナーを塗布するための透明版データを生成する透明版データ生成部と、
を備え、
前記透明版データ生成部は、前記有色トナーが塗布されたドットよりも小さい面積のドットで、該有色トナーが塗布されたドット上の一部に前記透明トナーを塗布するような前記透明版データを生成し、
前記画像読取装置は、
前記紙媒体上の画像データを読み取り、該画像データの画素値を取得する画素値取得部と、
前記画素値取得部によって取得された画素値を用いて、隣接する画素同士の輝度値の差分を算出し、該輝度値の差分が所定の閾値以上である場合には、隣接する画素のうち前記輝度値が低い画素を前記透明トナーが塗布された部分として検出する検出部と、
を備え、
前記画素値取得部は、前記透明トナーが塗布される間隔に応じて解像度を変更し、該解像度で前記紙媒体上の画像データを読み取ることを特徴とする画像処理システム。
【発明の詳細な説明】
【技術分野】
【０００１】
本発明は、画像形成装置、画像読取装置及び画像処理システムに関する。
【背景技術】
【０００２】
従来、バーコードに代表されるマーキングと呼ばれる技術がある。マーキング技術とは、特定パターンを印刷することで情報を原稿に埋め込み、読み取り時にはこのパターンを検出することによって、情報を取り出す技術である。
【０００３】
この技術は現在さまざまな用途に使われており、例えば、商品のラベルや出版物には、関連ホームページへ誘導するためのバーコード（ＱＲｃｏｄｅ）が付加される。また、オフィスの文書にも、コピー機でのコピー許可やコピー禁止を指示する地紋が使われている。例えば、図１２に例示するように、画像印刷装置が、マーキングパターン（２次元バーコード）を紙媒体に印刷し、画像読取装置が、紙媒体をスキャンして、埋め込まれた情報を抽出する。
【０００４】
近年、電子写真プロセスにおいて、透明なトナーが使われるようになってきている。図１３に示すように、このような透明なトナーを塗布しない領域は、用紙が持つ低い平滑性が維持され光沢が生じないが、透明なトナーを塗布した領域は、平滑性が高まり光沢が生じる。これにより、透明トナーを塗布した領域は、透明トナーを塗布しない領域に比較して、光を当てると正反射光が増加し、逆に乱反射光が減少する。
【０００５】
このような透明トナーを検出する技術として、一度目は通常の光量で、二度目は少ない光量で、乱反射光を受光する素子を用いて、それぞれ乱反射光を測定する。そして、各乱反射光の光量の差分から光沢部分、すなわち透明なトナーを塗布した領域として検出技術が知られている。
【０００６】
また、透明トナーを検出する技術として、正反射光を受光する素子を用いて、透明トナーが塗布され光沢が出ている箇所を検出する技術も知られている。
【発明の概要】
【発明が解決しようとする課題】
【０００７】
しかしながら、上記の技術では、乱反射光を２度測定するので、処理時間が長くなるという問題点があった。また、正反射光を受光する素子が必要となるため、装置コストが高くなるという問題点があった。
【０００８】
上述した課題を解決し、目的を達成するために、本発明は、透明トナーを検出する処理時間が短く、且つ、装置コストを抑えた画像形成装置、画像読取装置及び画像処理システムを提供することを目的とする。
【課題を解決するための手段】
【０００９】
上述した課題を解決し、目的を達成するために、本発明は、紙媒体に埋め込む情報に応じたパターン画像を生成するパターン生成部と、前記パターン生成部によって生成されたパターン画像を用いて、有色トナーが塗布された紙媒体に透明トナーを塗布するための透明版データを生成する透明版データ生成部と、を備え、前記透明版データ生成部は、前記有色トナーが塗布されたドットよりも小さい面積のドットで、該有色トナーが塗布されたドット上の一部に前記透明トナーを塗布するような前記透明版データを生成し、前記透明版データ生成部は、さらに、前記透明トナーと前記有色トナーとのドット塗布位置の位相を変えて、前記有色トナーが塗布される間隔よりも前記透明トナーが塗布される間隔を大きくなるような前記透明版データを生成することを特徴とする。
【発明の効果】
【００１０】
処理時間を短くし、且つ、装置コストを抑えるという効果を奏する。
【図面の簡単な説明】
【００１１】
【図１】図１は、実施形態の画像形成装置の概略構成例を示す図である。
【図２】図２は、画像処理部の構成を示すブロック図である。
【図３】図３は、透明版データ生成部の構成を示すブロック図である。
【図４】図４は、透明トナー重ね合わせ前のデータ例を示す図である。
【図５】図５は、透明トナー重ね合わせ後のデータ例を示す図である。
【図６】図６は、位相をずらした透明トナーの重ね合わせ後のデータ例を示す図である。
【図７】図７は、実施形態の画像読取装置の構成例を示す図である。
【図８】図８は、光電変換素子の構成例を示す図である。
【図９】図９は、埋め込み情報抽出部の構成を示すブロック図である。
【図１０】図１０は、透明トナーによる輝度落ちの模式図である。
【図１１】図１１は、位相をずらした透明トナーによる輝度落ちの模式図である。
【図１２】図１２は、マーキング技術の利用例を説明する図である。
【図１３】図１３は、反射光の強度と方向を説明する図である。
【発明を実施するための形態】
【００１２】
以下に添付図面を参照して、画像形成装置、画像読取装置及び画像処理システムの実施の形態を詳細に説明する。
【００１３】
（第１の実施の形態）
図１は、実施形態の画像形成装置１００の概略構成例を示す図である。図１を用いて基本的な画像形成装置１００の動作を説明する。なお、以下では、本実施形態の画像形成装置１００とは、コピー機能、プリンタ機能、スキャナ機能およびファクシミリ機能のうち少なくとも２つの機能を有する複合機のことをいう。
【００１４】
画像形成装置１００は、有色トナー及び透明トナーを塗布する。記録紙１は、給紙コロ２によって一枚ずつ分離して呼び出され、搬送ローラ対３へと搬送される。さらに搬送ローラ対３は、記録紙１を搬送し、レジストローラ対４へと搬送する。レジストローラ対４は図示しないレジストクラッチによってローラの回転、停止を自在にコントロールできる構成を採り、後述する一連の画像形成プロセス完了を待つために、一旦レジストローラ対４で記録紙１を停止させる。
【００１５】
また、図１において、点線３６で囲んだ部分は、ブラック版の作像ステーションである。感光体１１の周りに帯電チャージャ１２、露光ビーム１３、現像器１４、クリーニングブレード１５、１次転写チャージャ１６が配置されており、一連の作像動作を行うものである。
【００１６】
帯電チャージャ１２によって一様に帯電された感光体１１の表面に対して、図示しない書き込みユニットから露光ビーム１３が照射され、感光体１１上に潜像が形成される。現像器１４では、潜像に対してブラックトナーを現像し、トナー像として可視化させる。さらにトナー像は、１次転写チャージャ１６によって中間転写ベルト４０に転写される。感光体１１上に残留したトナーはクリーニングブレード１５によって掻き取られる。さらに、再び帯電チャージャ１２により帯電され、以降、上述の画像形成動作を繰り返し行う。
【００１７】
また、図１において、点線３７、３８、３９で囲んだ部分は、それぞれシアン版、マゼンタ版、イエロー版の作像ステーションであり、ブラック版と同様の動作によって、各版のトナー像を中間転写ベルト４０に転写する。さらに、点線３５で囲んだ部分は、透明トナー版の作像ステーションであり、その動作は他の色版と同様である。
【００１８】
すべての版のトナー像を転写ベルト４０に転写させた後、レジストローラ対４で一旦停止させておいた記録紙１を、タイミングを合わせて再搬送させ、２次転写チャージャ４１で記録紙上にトナー像を転写させる。次いで定着装置４３に搬送され、熱と圧力によって未定着トナーは記録紙に定着され、出力される。中間転写ベルト４０上に残存したトナーは、中間転写クリーナ４２をベルトに当接させることによって掻き取られ、中間転写ベルト４０がクリーニングされる。
【００１９】
次に、図２を用いて、画像形成装置１００内の画像処理部１００Ａについて説明する。図２は、画像処理部１００Ａの構成を示すブロック図である。なお、画像処理部１００Ａによって実行される画像処理は、ＰＣ２００上で実行されてもよい。
【００２０】
画像形成装置１００は、画像処理部１００Ａを有し、ＰＣ（Personal  Computer）２００と接続されている。ＰＣ２００は、ユーザからの印刷指示を受け付けると、プリンタドライバ２１０を介してＰＤＬ（Printer  Descript  Language）表記されたプリンタコマンドを画像処理装置１００に出力する。プリンタコマンドは、文字、グラフィック、イメージの３種類のオブジェクトに対する描画コマンドからなる。また、ユーザは、ＰＣ２００上でプリンタドライバの印刷設定画面から透明トナーを使用した情報埋め込みを行うか否かを指示できる。ＰＣ２００は、埋め込みを行うか否かを示す埋め込み情報を含めて画像形成装置１００に出力する。
【００２１】
画像形成装置１００の画像処理部１００Ａは、有色トナーを塗布するドットに対して、有色トナーのドット上に透明トナーの載る部分と載らない部分の両方が存在するように、透明版データを生成する。画像処理部１００は、コマンド解釈部１１０、展開部１２０、色補正部１３０、中間調処理部１４０、透明版データ生成部１５０およびプリンタ１６０を有する。
【００２２】
コマンド解釈部１１０は、送られてきたオブジェクト毎に描画コマンドを解釈する。そして、コマンド解釈部１１０は、埋め込み情報を透明版データ生成部１５０に出力する。また、コマンド解釈部１１０は、オブジェクト情報（文字、グラフィック、イメージのいずれに属するかの情報）を展開部１２０に出力する。
【００２３】
展開部１２０は、図示しない描画メモリ上にＲＧＢデータとして画像を展開する。色補正部１３０は、ＲＧＢデータをＣＭＹＢｋデータに変換する。なお、この色補正部１３０の処理は広く知られた処理であり詳細を省略する。
【００２４】
中間調処理部１４０は、各色の各画素のドットオンオフなどの低階調データで画像を表現するために、ＣＭＹＢｋデータの各々にディザ処理や誤差拡散処理などの処理を行う。中間調処理部１４０は、生成した中間調処理後の画素データを透明版データ生成部１５０に出力する。なお、中間調処理後の画素データは、透明版のデータ生成に利用される場合がある。
【００２５】
透明版データ生成部１５０は、埋め込み情報および中間調処理後の画素データに基づいて、透明版データを生成する。透明版データとは、塗布される透明トナーの画素のオンオフを指示するデータである。ここで、図３を用いて、透明版データ生成部１５０の構成について説明する。図３は、透明版データ生成部の構成を示すブロック図である。図３に示すように、透明版データ生成部１５０は、パターン生成部１５１および透明版生成部１５２を有する。
【００２６】
パターン生成部１５１は、コマンド解釈部１１０から出力された埋め込み情報に応じた埋め込みパターンを紙媒体に生成する。例えば、パターン生成部１５１は、印刷日時の情報を紙に埋め込む場合には、印刷日時を示す情報をデジタル情報で表現した後、二次元座標上の画素のオン、オフに変換する。以下では、これを埋め込みパターンと呼ぶこととする。
【００２７】
透明版生成部１５２は、生成された埋め込みパターンを用いて、有色トナーが塗布された紙媒体に透明トナーを塗布するための透明版データを生成する。ここで、透明版生成部１５２は、有色トナーが塗布されたドットよりも小さい面積のドットで、有色トナーが塗布されたドット上の一部に透明トナーを塗布するような透明版データを生成する。透明版生成部１５２は、埋め込みパターンの並びを維持しながら、有色版データとの位置関係を考慮しながら、最終的に塗布される透明トナーのデータである透明版データを生成する。その後、透明生成部１５２は、透明版データをプリンタ１６０に出力する。
【００２８】
プリンタ１６０は、生成された透明版データを用いて、有色トナーが塗布された紙媒体に透明トナーを塗布する。また、プリンタ１６０は、有色トナーが塗布されたドットよりも小さい面積のドットで、有色トナーが塗布されたドット上の一部に透明トナーを塗布する。ここで、生成された透明版データを用いて、透明トナーを塗布する処理について、図４および図５の例を用いて説明する。図４は、透明トナー重ね合わせ前のデータ例を示す図である。図５は、透明トナー重ね合わせ後のデータ例を示す図である。図４および図５に示すように、横方向の矢印が主走査方向であり、縦方向の矢印が副走査方向を示している。
【００２９】
図４に示すように、１ドットの単位で有色トナーが塗布されている。図４の例では、有色トナーのみが紙媒体に塗布されている。そして、図５に示すように、透明版生成部１５２は、色版トナーの上に有色版トナーの１ドットに対して半分の大きさのドットで透明トナーを塗布する。透明トナーを常に有色トナーの半分の大きさで塗布したとすると、透明版データは、生成された埋め込みパターンと同じ並びとし、例えば有色版データに対して半ドットだけ下にずらした位置で塗布するようなデータとする。
【００３０】
また、図６に示すように、埋め込み情報から変換された透明トナーのパターンを、有色版に対して画素半分だけ位相をずらして塗布するように画像生成データを作成するようにしてもよい。つまり、透明版生成部１５２は、透明トナーと有色トナーとのドット塗布位置の位相を変えて、有色トナーが塗布される間隔よりも透明トナーが塗布される間隔を大きくなるような透明版データを生成する。このとき、有色トナーのある画素が透明トナーに完全に覆われてスキャンできなくなることを防ぐために、例えば位相をずらす方向の透明トナーの塗布間隔を有色トナーの間隔の２倍にする。言い換えれば、副走査方向の解像度を半分にする。
【００３１】
これにより、透明トナーのドットのサイズが、有色トナーのドットサイズと同じに出来るため、透明トナー用の特別なドットサイズ制御が必要ないという利点がある。
【００３２】
次に、図７を用いて、画像読取装置３００の構成について説明する。図７は、実施形態の画像読取装置３００の構成例を示す図である。図７の（ａ）では、フラットヘッド方式の画像読み取り装置３００の構成例を示しており、図７の（ｂ）では、シートスルー方式の画像読み取り装置３００の構成例を示している。
【００３３】
図７の（ａ）に示すように、原稿は固定し照明光を移動させるフラットヘッド方式の画像読み取り装置３００は、照明光源３０１、第１キャリッジ３０２、第２キャリッジ３０３、レンズ３０４、光電変換素子３０５を有する。ラットヘッド方式の画像読み取り装置３００は、第１キャリッジ３０２と第２キャリッジ３０３を、図面上水平方向に移動させる。
【００３４】
図７の（ｂ）に示すように、照明光は固定し原稿を移動させるシートスルー方式の画像読み取り装置３００Ａは、照明光源３０１、第１キャリッジ３０２、第２キャリッジ３０３、レンズ３０４、光電変換素子３０５、搬送ドラムローラ３０６を有する。シートスルー方式の画像読み取り装置３００Ａは、搬送ドラムローラ３０６を回転させて、原稿を移動させる。
【００３５】
照明光源３０１は、図面に対し垂直の方向（主走査方向）に伸びた線状の照明光源である。照明光源３０１として、ＬＥＤアレイやキセノンランプが一般に使われる。原稿３１０の面に対し４５度の角度に照明光を照射し、９０度の角度に反射した光（乱反射光）を、第１キャリッジ３０２や第２キャリッジ３０３のミラーで折り返し、レンズ３０４で光電変換素子３０５に結像させている。光電変換素子３０５は、１ラインの画素数だけ並んだフォトダイオードアレイ（ＰＤアレイ）３０７で構成されるＣＣＤラインセンサである（図８参照）。
【００３６】
ここで、図８を用いて、光電変換素子の構成について説明する。図８は、光電変換素子の構成例を示す図である。図８に示すように、各ＰＤアレイ３０７は、原稿の色や平滑度合いを反映した反射光量に応じた電荷を蓄える。各ＰＤアレイ３０７の電荷をＣＣＤアナログシフトレジスタ３０８に移し、転送クロックによってシリアルにＡＤ変換部３０９へと送る。ＡＤ変換部３０９では、各画素の電荷量を多値のデジタルデータ（８ｂｉｔ／画素）に変換する。これにより主走査方向１ライン分の輝度画像データが得られる。以上を副走査方向に繰り返せば、２次元の輝度画像データを得ることができる。これは原稿と照明光を副走査方向に相対移動させることで実現される。
【００３７】
続いて、一度のスキャンで取得した画像から埋め込み情報を抽出する処理を説明する。ここで、読み取り側の機器では、埋め込み情報の埋め込み方式が既知であるとする。つまり、有色版のドットよりも小さいドットとして有色版の下半分に埋め込まれたことが、既知であるとする。
【００３８】
ここで、図９を用いて、スキャン画像を取得した画像読取装置３００が有する埋め込み情報抽出部４００の構成について説明する。図９は、埋め込み情報抽出部の構成を示すブロック図である。図９に示すように、埋め込み情報抽出部４００は、透明トナー検出部４１０および埋め込み情報抽出部４２０を有する。
【００３９】
透明トナー検出部４１０は、紙媒体上の画像データをスキャンし、紙媒体上の画像データを読み取り、該画像データの画素値を取得する。そして、透明トナー検出部４１０は、取得した画素値を用いて、隣接する画素同士の輝度値の差分を算出し、該輝度値の差分が所定の閾値以上である場合には、隣接する画素のうち輝度値が低い画素を透明トナーが塗布された部分として検出する。
【００４０】
また、透明トナー検出部４１０は、透明トナーが塗布される間隔に応じて解像度を変更し、該解像度で紙媒体上の画像データを読み取る。図５の透明トナーを検出する場合には、透明トナー検出部４１０では、有色版のみのデータを読み取る場合に比べて、縦に２倍の解像度で画素値を読み取る必要がある。例えば有色版が６００ｄｐｉでの解像度で原稿を読み取っていれば、透明トナーは実質的に１２００ｄｐｉの解像度で原稿を読み取らなくてはならない。これを簡単に実現する方法として、副走査の走査周期を変えず移動速度を半分にすることで解像度を２倍にする方法がある。
【００４１】
透明トナー検出部４１０は、読み取った結果得られる画素値による画像データから透明トナーを検出するために、図１０に示すように、主走査方向の同一座標で、副走査方向に１画素となりの画素（言い換えれば、副走査方向に隣接している画素）の輝度値が落ちている箇所を検出する。なお、透明トナーが有色トナーの上に載ることによる輝度値の減少には多少のばらつきがあるため、十分に測定をした上で閾値を設定し、輝度値の減少度がその閾値を超えた場合には透明トナーが載っていると検出すれば良い。また、スキャンによって得られる輝度値は一般的にＲＧＢの３色であり、それぞれの色について輝度値減少度の閾値を設定する。
【００４２】
埋め込み情報抽出部４２０は、検出した透明トナーから、埋め込まれた情報を抽出するには、埋め込み情報を透明トナーのパターンに変換した処理の逆の変換を行う。例えば、埋め込み情報抽出部４２０は、透明トナーのオン、オフの二次元情報に対してパターンマッチングを行う。
【００４３】
以上により、印刷時に紙に埋め込まれた情報を、スキャン画像から復元することができる。この時、スキャンした画像から、本来得るべき原稿の画像データを生成するためには、透明トナーが載っているとされなかった画素の画素値を用いて、読取時の解像度に対して半分の解像度の画像データを生成すればよい。
【００４４】
ここで、有色版に対して位相をずらして透明版を生成し、トナーを塗布した場合の画像データ（前述の図６参照）に対する透明トナー検出方法について説明する。この場合、図１１に示すような模式図になる。透明トナーを検出するには、例えば、副走査方向に隣接している画その輝度値の減少度が閾値を超えている箇所を検出する。このとき、その下の画素は上半分が透明トナーによって輝度値が落ちているはずなので、原稿の画像データを復元するためには、下半分（輝度値が高い方）の輝度値を使う。
【００４５】
このように、上述したように、第１の実施形態における画像形成装置１００によれば、紙媒体に埋め込む情報に応じたパターン画像を生成し、生成されたパターン画像を用いて、有色トナーが塗布された紙媒体に透明トナーを塗布するための透明版データを生成する。ここで、画像形成装置１００は、有色トナーが塗布されたドットよりも小さい面積のドットで、該有色トナーが塗布されたドット上の一部に透明トナーを塗布するような透明版データを生成する。このため、処理時間を短くし、且つ、装置コストを抑えることができる。
【００４６】
また、第１の実施形態における画像読取装置３００によれば、紙媒体上の画像データを読み取り、該画像データの画素値を取得し、取得された画素値を用いて、隣接する画素同士の輝度値の差分を算出する。そして、該輝度値の差分が所定の閾値以上である場合には、隣接する画素のうち輝度値が低い画素を透明トナーが塗布された部分として検出する。このため、処理時間を短くし、且つ、装置コストを抑えることができる。
【００４７】
すなわち、光沢領域の検出の際に、原稿の色を読み取るための乱反射光を受光する素子のみを使うことで、正反射光を受光する素子が不要となり、装置のコストを抑えることが出来るという効果を奏する。また、第１の実施形態における画像形成装置１００によれば、一度の読み取りを用いて原稿の色の測定と光沢領域の検出をおこなうことが出来るため、二度スキャンした場合に比べて、読み取り処理にかかる時間の増加が抑えられ、一度目にスキャンした内容を蓄えるメモリが必要なく、光学読み取り位置のずれを防ぐことが出来るという効果を奏する。
【００４８】
また、第１の実施形態における画像形成装置１００によれば、透明トナーと有色トナーとのドット塗布位置の位相を変えて、有色トナーが塗布される間隔よりも透明トナーが塗布される間隔を大きくなるような透明版データを生成する。これにより、例えば、透明トナーのドットサイズを有色ドナーのドットサイズにすることができる結果、透明トナー用の特別なドットサイズ制御を行う不要にすることができる。
【００４９】
また、第１の実施形態における画像読取装置３００によれば、透明トナーが塗布される間隔に応じて解像度を変更し、該解像度で紙媒体上の画像データを読み取る。このため、透明トナーを適切に検出することができる。
【００５０】
なお、上記実施の形態では、本発明の画像形成装置を、コピー機能、プリンタ機能、スキャナ機能およびファクシミリ機能のうち少なくとも２つの機能を有する複合機に適用した例を挙げて説明するが、複写機、プリンタ、スキャナ装置、ファクシミリ装置等の画像形成装置であればいずれにも適用することができる。
【符号の説明】
【００５１】
１００  画像形成装置
１００Ａ  画像処理部
１１０  コマンド解析部
１２０  展開部
１３０  色補正部
１４０  中間調処理部
１５０  透明版データ生成部
１６０  プリンタ
２００  ＰＣ
２１０  プリンタドライバ
３００  画像読取装置
３０１  照明光源
３０２  第１キャリッジ
３０３  第２キャリッジ
３０４  レンズ
３０５  光電変換素子
３０６  搬送ドラムローラ
３０７  フォトダイオードアレイ
３０８  ＣＣＤアナログシフトレジスタ
３０９  ＡＤ変換部
４００  埋め込み情報抽出部
４１０  透明トナー検出部
４２０  埋め込み情報抽出部
【先行技術文献】
【特許文献】
【００５２】
【特許文献１】特開２０１０−１０２０３２号公報
【図１】
0005821451.tif 000002
【図２】
0005821451.tif 000003
【図３】
0005821451.tif 000004
【図４】
0005821451.tif 000005
【図５】
0005821451.tif 000006
【図６】
0005821451.tif 000007
【図７】
0005821451.tif 000008
【図８】
0005821451.tif 000009
【図９】
0005821451.tif 000010
【図１０】
0005821451.tif 000011
【図１１】
0005821451.tif 000012
【図１２】
0005821451.tif 000013
【図１３】
0005821451.tif 000014